(57)【特許請求の範囲】
【請求項１】
前側に前側開放部を有するとともに上側に上側開放部を有する下側ハウジングと、前記上側開放部を塞ぐように前記下側ハウジングの上側に密着して取り付けられる上側カバーと、前記下側ハウジングおよび前記上側カバーに圧接可能な弾性シールリングと、を備え、
前側から後側に向かって挿入されるプラグを収納可能な収納空間が形成されるとともに、前記プラグに弾接可能な導電端子が前記下側ハウジングの内外を連通するように前記下側ハウジングに保持された防水ジャックであって、
前記上側カバーは、前記上側カバーの前側から下方に一体に延設されたキャップ部を有し、
前記キャップ部は、前記プラグを挿入可能な挿入用開口部が形成された環状部を備えることを特徴とする防水ジャック。
【請求項２】
前記下側ハウジングは、前側に前記弾性シールリングが圧接可能なハウジング側圧接面を備え、
前記上側カバーは、前記弾性シールリングが圧接可能なカバー側圧接面を備え、
前記ハウジング側圧接面と前記カバー側圧接面とによって前記弾性シールリングを圧接可能な環状圧接面が前記挿入用開口部を囲むように形成されるとともに、
前記キャップ部の前記環状部は、前記下側ハウジングの前記前側開放部の内側に収納可能に延設され、
前記上側カバーは、前記環状圧接面の位置まで連続して前記下側ハウジングの上側に密着していることを特徴とする請求項１に記載の防水ジャック。
【請求項３】
前記下側ハウジングは前記前側開放部を臨む前端部の内側に段差部を備え、前記段差部に形成された段差面に前記環状部が当接可能に対向していることを特徴とする請求項１又は請求項２に記載の防水ジャック。
【発明の詳細な説明】
【技術分野】
【０００１】
本発明は、防水性を備えた小型の防水ジャックに関する。
【背景技術】
【０００２】
スマートフォン等にはイヤホン等が差し込まれるジャックコネクタが備えられている。このようなジャックコネクタは、小型化が求められるとともに、防水性を備えることが求められている。
【０００３】
防水ジャックとして、特許文献１に、ケースとカバー部材からなる筐体の周囲に環状の弾性部材を嵌装したジャックが開示されている。図１１は、特許文献１に記載のジャック１００の分解斜視図である。
【０００４】
図１１に示すように、取り付け部１０２ｂは、ケース１１０に形成された取り付け部１１０ｂと、カバー部材１１１に形成された取り付け部１１１ｂとに分かれて、ケース１１０にカバー部材１１１を取り付けて一体化される。図１１に示すように、キャップ部材１１２には、Ｘ２方向に突出する突出部１１２ｃが設けられている。ケース１１０は突出部１１２ｃが収納できる形状に設けられている。カバー部材１１１は、Ｚ１方向に突出する凸部１１１ｇを有している。キャップ部材１１２がケース１１０に装着された状態において、カバー部材１１１の凸部１１１ｇがキャップ部材１１２に挿入できるように、切り欠き状の挿入部１１２ｇが設けられている。
【０００５】
キャップ部材１１２の後部の上方側（Ｚ２側）は、キャップ部材１１２がケース１１０の前方側（Ｘ１側）に装着されたときに、第１の面１１０ｅと連なる同一平面を構成する。キャップ部材１１２の後部およびケース１１０にカバー部材１１１が被せられ、カバー部材１１１をキャップ部材１１２の後部に溶着している。
【０００６】
これによれば、溶着面と取り付け部１０２ｂに取り付ける環状の弾性部材とによって、携帯情報端末等の取り付け対象機器の内壁面とジャック１００との間からの水の浸入を防止することができる。
【０００７】
ケース１１０の上にカバー部材１１１をレーザ溶着にて取り付けてプラグ挿入用の開口部を有する一体ケースを形成することもできるが、これだけではプラグをこじったときに挿入用開口部の溶着部分が剥離しやすい。このため、特許文献１に記載のジャック１００は、別体のキャップ部材１１２を一体ケースの前端部に取り付けている。
【先行技術文献】
【特許文献】
【０００８】
【特許文献１】登録実用新案第３１８００３１号公報
【発明の概要】
【発明が解決しようとする課題】
【０００９】
しかしながら、キャップ部材１１２を別体にしなければならず、部品点数が増えてしまうという問題があった。
【００１０】
本発明は、上述した課題を解決するもので、挿入用開口部の強度を高めることができるとともに部品点数を削減することができる防水ジャックを提供することを目的とする。
【課題を解決するための手段】
【００１１】
本発明の防水ジャックは、前側に前側開放部を有するとともに上側に上側開放部を有する下側ハウジングと、前記上側開放部を塞ぐように前記下側ハウジングの上側に密着して取り付けられる上側カバーと、前記下側ハウジングおよび前記上側カバーに圧接可能な弾性シールリングと、を備え、前側から後側に向かって挿入されるプラグを収納可能な収納空間が形成されるとともに、前記プラグに弾接可能な導電端子が前記下側ハウジングの内外を連通するように前記下側ハウジングに保持された防水ジャックであって、前記上側カバーは、前記上側カバーの前側から下方に一体に延設されたキャップ部を有し、前記キャップ部は、前記プラグを挿入可能な挿入用開口部が形成された環状部を備えることを特徴とする。
【００１２】
この構成によれば、キャップ部が上側カバーから延設された一体部品で、プラグの挿入用開口部を囲む環状部を備えているため、挿入用開口部の強度を高めることができるとともに部品点数を削減することができる。
【００１３】
また、本発明の防水ジャックにおいて、前記下側ハウジングは前側に前記弾性シールリングが圧接可能なハウジング側圧接面を備え、前記上側カバーは前記弾性シールリングが圧接可能なカバー側圧接面を備え、前記ハウジング側圧接面と前記カバー側圧接面とによって前記弾性シールリングを圧接可能な環状圧接面が前記挿入用開口部を囲むように形成されるとともに、前記キャップ部の前記環状部は前記下側ハウジングの前記前側開放部の内側に収納可能に延設され、前記上側カバーは前記環状圧接面の位置まで連続して前記下側ハウジングの上側に密着していることを特徴とする。
【００１４】
キャップ部の環状部が下側ハウジングの前側開放部の内側に収納可能に延設されていれば、キャップ部と下側ハウジングとの間を溶着しなくても防水性を保つことができる。（キャップ部が下側ハウジングの前端部の前側に取り付けられるように延設されていると、キャップ部と下側ハウジングとの間も溶着しないと防水性が保てないが、複数の方向から溶着を行うとなると、工程が増えるとともに製造設備も増えてしまう。）
【００１５】
また、本発明の防水ジャックにおいて、前記下側ハウジングは前記前側開放部を臨む前端部の内側に段差部を備え、前記段差部に形成された段差面に前記環状部が当接可能に対向していることを特徴とする。
【００１６】
この構成によれば、段差面に環状部が当接することにより、プラグ挿入時に環状部が後側へ変位して破損することを防止することができる。
【発明の効果】
【００１７】
本発明によれば、キャップ部が上側カバーから延設された一体部品で、プラグの挿入用開口部を囲む環状部を備えているため、挿入用開口部の強度を高めることができるとともに部品点数を削減することができる防水ジャックを提供することができる。
【図面の簡単な説明】
【００１８】
【図１】本発明の実施形態の防水ジャックを示す斜視図であり、弾性シールリングを取り付けた状態の斜視図である。
【図２】本発明の実施形態の防水ジャックを示す分解斜視図である。
【図３】本発明の実施形態の防水ジャックを示す斜視図であり、弾性シールリングを取り付けていない状態の斜視図である。
【図４】本発明の実施形態の防水ジャックを示す正面図であり、弾性シールリングを取り付けていない状態の正面図である。
【図５】本発明の実施形態の防水ジャックを示す平面図であり、弾性シールリングを取り付けた状態の平面図である。
【図６】斜め下方から見た防水ジャックを示す斜視図である。
【図７】図６の方向から見た導電端子を示す説明図である。
【図８】図４のＶＩＩＩ−ＶＩＩＩ線で切断した断面図である。
【図９】図５のＩＸ−ＩＸ線で切断した断面図である。
【図１０】異なる方向から見た上側カバーを示す斜視図である。
【図１１】従来のジャックの分解斜視図である。
【発明を実施するための形態】
【００１９】
［第１実施形態］
以下、本発明の実施の形態について図面を用いて詳細に説明する。なお、分かりやすいように、図面は寸法を適宜変更している。
【００２０】
図１は、本発明の実施形態の防水ジャック１を示す斜視図であり、弾性シールリング４を取り付けた状態の斜視図である。図２は、防水ジャック１を示す分解斜視図である。図３は、防水ジャック１を示す斜視図であり、弾性シールリング４を取り付けていない状態の斜視図である。図４は、防水ジャック１を示す正面図であり、弾性シールリング４を取り付けていない状態の正面図である。図５は、防水ジャック１を示す平面図であり、弾性シールリング４を取り付けた状態の平面図である。図６は、斜め下方から見た防水ジャック１を示す斜視図である。図７は、図６の方向から見た導電端子３を示す説明図である。図８は、図４のＶＩＩＩ−ＶＩＩＩ線で切断した断面図である。図９は、図５のＩＸ−ＩＸ線で切断した断面図である。図１０は、異なる方向から見た上側カバー１２を示す斜視図である。
【００２１】
本実施形態の防水ジャック１は、図１に示すように、下側ハウジング１１に上側カバー１２が取り付けられた合成樹脂製の一体ケース１０を備える。防水ジャック１は、この一体ケース１０の前側に下側ハウジング１１および上側カバー１２に圧接可能な弾性シールリング４が配置されて、図示しない電子機器に装着される。
【００２２】
なお、以下の説明においては、図１のＺ１側を上側、Ｚ２側を下側、Ｘ１側を左側、Ｘ２側を右側、Ｙ１側を前側、Ｙ２側を後側として記載している。これは説明を分かりやすくするためであり、防水ジャック１の使用時の方向を限定するものではない。
【００２３】
防水ジャック１は、一体ケース１０によって、前側から後側に向かって挿入されるプラグを収納可能な収納空間１ｂが形成されている。そして、プラグに弾接可能な導電端子３が、図２に示すように、下側ハウジング１１の内外を連通するように下側ハウジング１１に保持されている。また、取り付け対象へ取り付けるための取り付け部８が一体ケース１０に設けられている。さらに、一体ケース１０には補強部材４０が係止されている。
【００２４】
補強部材４０は、金属板の打ち抜き加工と折り曲げ加工によって、合成樹脂製の一体ケース１０を囲むように形成されている。補強部材４０は、図１に示すように、係止孔４０ｎが下側ハウジング１１に設けられた係止突起１１ｎに係止されている。
【００２５】
下側ハウジング１１は、絶縁性の合成樹脂を成形したものであり、図２に示すように、前側に前側開放部１１ａを有するとともに上側に上側開放部１１ｂを有する。下側ハウジング１１は、光吸収材料により形成されている。例えば、黒色に着色されたナイロン樹脂を使用することができる。ナイロン樹脂は、適度な加熱で成形することができ、また、ナイロン樹脂は着色用の顔料を多く含有している場合は光吸収性を有している。下側ハウジング１１は、底部１１ｆと底部１１ｆから上方に立設される一対の側壁部１１ｃ、１１ｄと側壁部１１ｃ、１１ｄの後側に立設される後壁部１１ｅとを有している。この側壁部１１ｃ、１１ｄおよび後壁部１１ｅには、係止突起１１ｎが設けられている。さらに、本実施形態の下側ハウジング１１は、前側に弾性シールリング４が圧接可能なハウジング側圧接面１１ｇを備えている。また、下側ハウジング１１は、前側開放部１１ａを臨む前端部１１ｈの内側に段差部１１ｋを備え、段差部１１ｋに段差面１１ｍが形成されている。
【００２６】
導電端子３は、導電性の金属で形成され、一体ケース１０（下側ハウジング１１）の内外を貫通している。導電端子３は、下側ハウジング１１の外部に露出する外端部３ｄ、外端部３ｄから延設された中間埋設部３ｃ、中間埋設部３ｃの端部から延設され下側ハウジング１１の内部に露出する内端部３ｂからなる（図７参照）。本実施形態の防水ジャック１は、図６に示すように、導電端子３の中間埋設部３ｃが下側ハウジング１１の側壁部１１ｃ、１１ｄに埋設されている。より具体的には、インサート成型により、下側ハウジング１１を形成するとともに導電端子３の中間埋設部３ｃを下側ハウジング１１に保持させてなる。これにより、導電端子３の中間埋設部３ｃと下側ハウジング１１とが密着している。
【００２７】
上側カバー１２は、絶縁性の合成樹脂を成形したものであり、溶着によって、上側開放部１１ｂを塞ぐように下側ハウジング１１の上側に密着して取り付けられる。上側カバー１２は、レーザ光を透過可能な光透過材料により形成されている。例えば、乳白色のナイロン樹脂を使用することができる。ナイロン樹脂は、適度な加熱で成形することができ、また、顔料を含有していない場合には乳白色で透光性を有している。上方からレーザ光を照射することによって、上側カバー１２をレーザ光が透過して、下側ハウジング１１の側壁部１１ｃ、１１ｄおよび後壁部１１ｅと上側カバー１２との当接面を溶着させることができる。
【００２８】
上側カバー１２は、上側カバー１２から一体ケース１０の側方に延設された取り付け部８を有している。図１〜図６に示すように、取り付け部８は、一体ケース１０の一側方に設けられた一方の取り付け部８ａおよび一体ケース１０を挟んで他側方に設けられた他方の取り付け部８ｂからなる。一方の取り付け部８ａは、上側カバー１２の側部から側壁部１１ｃの外壁面に沿って下方に延設された第１延設部８１ａと、第１延設部８１ａから側方に延設された第２延設部８２ａとからなる。他方の取り付け部８ｂは、上側カバー１２の側部から側壁部１１ｄの外壁面に沿って下方に延設された第１延設部８１ｂと、第１延設部８１ｂから側方に延設された第２延設部８２ｂとからなる。
【００２９】
一方、収納空間１ｂには、図８および図９に示すように、上側カバー１２とは別体であって、下側ハウジング１１の上側から下側ハウジング１１内部に組付可能なインナー部材２０が配置されている。インナー部材２０は、絶縁性の合成樹脂で形成されている。例えば、上側カバー１２と同じように、乳白色のナイロン樹脂を使用することができる。
【００３０】
また、上側カバー１２は、上側カバー１２の前側から下方に一体に延設されたキャップ部１３を有している。さらに、図３および図４に示すように、キャップ部１３は、プラグを挿入可能な挿入用開口部１ａが形成された環状部１３ａを備える。この環状部１３ａは、下側ハウジング１１の前側開放部１１ａの内側に収納可能な形状を有している。
【００３１】
上側カバー１２は、図２および図１０に示すように、弾性シールリング４が圧接可能なカバー側圧接面１２ｇを備えている。
【００３２】
図４に示すように、弾性シールリング４を圧接可能な環状圧接面１ｇが、ハウジング側圧接面１１ｇとカバー側圧接面１２ｇとによって、挿入用開口部１ａを囲むように形成される。防水ジャック１は、挿入用開口部１ａを囲む環状圧接面１ｇに弾性シールリング４を取り付け可能となっている。防水ジャック１は、図示しない基板に実装された状態で、弾性シールリング４を押し付けるようにして電子機器に装着される。そして、プラグが挿入用開口部１ａから収納空間１ｂに挿入され、弾接可能な導電端子３の内端部３ｂにプラグの接続端子が弾接することによって、導電端子３を介して図示しない電子機器の電気回路に接続される。
【００３３】
本実施形態の防水ジャック１は、キャップ部１３が上側カバー１２から延設された一体部品で、プラグの挿入用開口部１ａを囲む環状部１３ａが形成されている。このため、挿入用開口部１ａの強度を高めることができるとともに、部品点数を削減することができる。
【００３４】
下側ハウジング１１は、前側開放部１１ａを臨む前端部１１ｈの内側に段差部１１ｋを備えている。上側カバー１２は、段差部１１ｋに形成された段差面１１ｍに環状部１３ａが当接可能に対向している状態で、環状圧接面１ｇの位置まで連続して下側ハウジング１１の上側に溶着されて密着している。言い換えれば、環状圧接面１ｇでは上側カバー１２と下側ハウジング１１との境界が溶着されている。これにより、挿入用開口部１ａが形成された環状部１３ａを囲む環状圧接面１ｇに弾性シールリング４を取り付け、環状圧接面１ｇで水密に封止可能となる。
【００３５】
溶着により形成された一体ケース１０では、図８に示すように、プラグを前側から挿入するための挿入用開口部１ａが形成された環状部１３ａを除き収納空間１ｂが密閉されている。
【００３６】
また、キャップ部１３の環状部１３ａは下側ハウジング１１の前側開放部１１ａの内側に収納されているので、キャップ部１３と下側ハウジング１１との間を環状部１３ａの全周に沿って溶着しなくても、環状圧接面１ｇで防水性を保つことができる。すなわち、下側ハウジング１１の前側開放部１１ａの内側を除き、収納空間１ｂと一体ケース１０の外部との間が水密に保たれる。
【００３７】
本実施形態と異なり、キャップ部１３が下側ハウジング１１の前端部１１ｈの前側に取り付けられるように延設されていると、キャップ部１３と下側ハウジング１１との間も溶着しないと防水性が保てない。この場合、防水構造にするために、複数の方向から溶着を行うとなると、工程が増えるとともに製造設備も増えてしまう。また、キャップ部１３を前面から溶着するためには、溶着するための幅を確保しなければならず、キャップ部１３の寸法を大きくしておく必要があった。本実施形態の防水ジャック１は、キャップ部１３を前面から溶着する必要がないので、より寸法を小さくすることができる。
【００３８】
本実施形態の防水ジャック１において、環状圧接面１ｇは全周に亘って平坦に形成されている。上側カバー１２は、環状圧接面１ｇの内周側にキャップ部１３が配置され、環状部１３ａが環状圧接面１ｇ（カバー側圧接面１２ｇ）より前側に突出するように形成されている。また、図２および図１０に示すように、上側カバー１２は、カバー側圧接面１２ｇの外周側において、前端部１２ｈがカバー側圧接面１２ｇより前側に突出するように形成されている。
【００３９】
下側ハウジング１１は、図２に示すように、前側開放部１１ａを臨む前端部１１ｈが環状圧接面１ｇ（ハウジング側圧接面１１ｇ）より前側に突出するように形成されている。前端部１１ｈの内側にハウジング側圧接面１１ｇを備え、さらにハウジング側圧接面１１ｇの内側に段差部１１ｋを備えている。また、図８に示すように、下側ハウジング１１のハウジング側圧接面１１ｇの内側に、キャップ部１３の環状部１３ａがハウジング側圧接面１１ｇより前側に突出するように嵌合されている。
【００４０】
環状圧接面１ｇの内周側に環状部１３ａが前側に突出するように形成され、外周側に下側ハウジング１１の前端部１１ｈおよび上側カバー１２の前端部１２ｈが前側に突出するように設けられて、弾性シールリング４を挿入可能な溝形状が形成される。
【００４１】
下側ハウジング１１は、前側開放部１１ａを臨む前端部１１ｈの内側に段差部１１ｋを備え、段差部１１ｋに形成された段差面１１ｍに環状部１３ａが当接可能に対向している。段差面１１ｍに環状部１３ａが当接することにより、プラグ挿入時に加えられた押し込み荷重で環状部１３ａが後側へ変位して破損することを防止することができる。
【００４２】
以下、本実施形態としたことによる効果について説明する。
【００４３】
本実施形態の防水ジャック１は、前側に前側開放部１１ａを有するとともに上側に上側開放部１１ｂを有する下側ハウジング１１と、上側開放部１１ｂを塞ぐように下側ハウジング１１の上側に密着して取り付けられる上側カバー１２と、を備える。防水ジャック１は、前側から後側に向かって挿入されるプラグを収納可能な収納空間１ｂが形成されるとともに、プラグに弾接可能な導電端子３が下側ハウジング１１の内外を連通するように下側ハウジング１１に保持される。そして、下側ハウジング１１および上側カバー１２に圧接可能な弾性シールリング４を備える。さらに、防水ジャック１は、上側カバー１２は、上側カバー１２の前側から下方に一体に延設されたキャップ部１３を有し、キャップ部１３は、プラグを挿入可能な挿入用開口部１ａが形成された環状部１３ａを備える。
【００４４】
この構成によれば、キャップ部１３が上側カバー１２から延設された一体部品で、プラグの挿入用開口部１ａを囲む環状部１３ａを備えているため、挿入用開口部１ａの強度を高めることができるとともに部品点数を削減することができる。
【００４５】
また、本実施形態の防水ジャック１において、下側ハウジング１１は、前側に弾性シールリング４が圧接可能なハウジング側圧接面１１ｇを備え、上側カバー１２は、弾性シールリング４が圧接可能なカバー側圧接面１２ｇを備える。そして、ハウジング側圧接面１１ｇとカバー側圧接面１２ｇとによって、弾性シールリング４を圧接可能な環状圧接面１ｇが挿入用開口部１ａを囲むように形成される。さらに、キャップ部１３の環状部１３ａは、下側ハウジング１１の前側開放部１１ａの内側に収納可能に延設され、上側カバー１２は、環状圧接面１ｇの位置まで連続して下側ハウジング１１の上側に密着している。
【００４６】
キャップ部１３の環状部１３ａが下側ハウジング１１の前側開放部１１ａの内側に収納可能に延設されていれば、キャップ部１３と下側ハウジング１１との間を溶着しなくても防水性を保つことができる。
【００４７】
また、本実施形態の防水ジャック１において、下側ハウジング１１は前側開放部１１ａを臨む前端部１１ｈの内側に段差部１１ｋを備え、段差部１１ｋに形成された段差面１１ｍに環状部１３ａが当接可能に対向している構成となっている。
【００４８】
この構成によれば、段差面１１ｍに環状部１３ａが当接することにより、プラグ挿入時に環状部１３ａが後側へ変位して破損することを防止することができる。
【００４９】
以上のように、本発明の実施形態の防水ジャック１を具体的に説明したが、本発明は上記の実施形態に限定されるものではなく、要旨を逸脱しない範囲で種々変更して実施することが可能である。例えば次のように変形して実施することができ、これらも本発明の技術的範囲に属する。
【００５０】
（１）本実施形態において、一体ケース１０の前側に弾性シールリング４を圧接可能な環状圧接面１ｇが形成されるとしたが、前面でなく、側面をシール面とするように変更してもよい。
【００５１】
（２）本実施形態において、環状圧接面１ｇでは上側カバー１２と下側ハウジング１１との境界が溶着されているとしたが、完全に溶着されていなくても、収納空間１ｂと一体ケース１０の外部との間が水密に保たれるように溶着部が連続して形成されていればよい。
【００５２】
（３）本実施形態において、キャップ部１３の環状部１３ａが下側ハウジング１１の前側開放部１１ａの内側に収納され、キャップ部１３と下側ハウジング１１との間を溶着しない構成としたが、環状部１３ａを下側ハウジング１１に溶着させてもよい。
【００５３】
（４）本実施形態において、上側カバー１２は下側ハウジング１１の上側にレーザ溶着により取り付けられているが、それに限らず、接着剤等により取り付けられていてもよい。なお、本明細書等における「密着」という文言は、水密に取り付けられていることを意味し、レーザ等による溶着、接着剤等による接着、等を含むものである。
【符号の説明】
【００５４】
１      防水ジャック
１ａ    挿入用開口部
１ｂ    収納空間
１ｇ    環状圧接面
３      導電端子
３ｂ    内端部
３ｃ    中間埋設部
３ｄ    外端部
４      弾性シールリング
８、８ａ、８ｂ  取り付け部
１０    一体ケース
１１    下側ハウジング
１１ａ  前側開放部
１１ｂ  上側開放部
１１ｃ、１１ｄ  側壁部
１１ｅ  後壁部
１１ｆ  底部
１１ｇ  ハウジング側圧接面
１１ｈ  前端部
１１ｋ  段差部
１１ｍ  段差面
１１ｎ  係止突起
１２    上側カバー
１２ｇ  カバー側圧接面
１２ｈ  前端部
１３    キャップ部
１３ａ  環状部
２０    インナー部材
４０    補強部材
４０ｎ  係止孔
８１ａ、８１ｂ  第１延設部
８２ａ、８２ｂ  第２延設部
【図１】
0006261044.tif 000002
【図２】
0006261044.tif 000003
【図３】
0006261044.tif 000004
【図４】
0006261044.tif 000005
【図５】
0006261044.tif 000006
【図６】
0006261044.tif 000007
【図７】
0006261044.tif 000008
【図８】
0006261044.tif 000009
【図９】
0006261044.tif 000010
【図１０】
0006261044.tif 000011
【図１１】
0006261044.tif 000012